(57)【要約】【課題】制御が不安定になるのを抑制しながら、より簡素な構成により複数の電力変換装置からの出力電流の大きさを均一化させることが可能な電力変換システムを提供する。【解決手段】この電力変換システム１は、互いに並列に接続される、制御部１２ａを含む電力変換装置１０ａおよび制御部１２ｂを含む電力変換装置１０ｂと、電力変換装置１０ａに対する出力電圧指令Ｖｄｃ１＊および電力変換装置１０ｂに対する出力電圧指令Ｖｄｃ２＊を生成する制御装置６０とを備える。制御装置６０は、カレントトランス３０ａおよび３０ｂに検出された出力電流値Ｉｄｃ１およびＩｄｃ２の差分に基づいて、電力変換装置１０ａおよび１０ｂの出力電流の差を小さくするように、電力変換装置１０ａに対する出力電圧指令Ｖｄｃ＊を補正するように構成されている。【選択図】図１
2020010446.tif 000002
【特許請求の範囲】
【請求項１】
互いに並列に接続され、各々制御部を含む複数の電力変換装置と、
前記複数の電力変換装置の各々の出力電流値を検出する電流検出部と、
前記複数の電力変換装置の各々の前記制御部に対する出力電圧指令を生成する制御装置とを備え、
前記制御装置は、前記電流検出部に検出された前記複数の電力変換装置の各々の出力電流値の差分に基づいて、前記複数の電力変換装置の各々の出力電流の差を小さくするように、前記複数の電力変換装置のうちの一部の前記電力変換装置に対する前記出力電圧指令を補正するように構成されている、電力変換システム。
【請求項２】
前記制御装置は、前記電流検出部に検出された前記複数の電力変換装置の各々の出力電流値の差分に基づいて、前記複数の電力変換装置の各々の出力電流の差を小さくするように、前記出力電圧指令を補正するための補正値を生成する補正値生成部と、前記補正値生成部により生成された前記補正値に基づいて、前記複数の電力変換装置のうちの一部の前記電力変換装置に対する前記出力電圧指令を補正する電圧指令値補正部とを含む、請求項１に記載の電力変換システム。
【請求項３】
前記補正値生成部は、前記電流検出部に検出された前記複数の電力変換装置の各々の出力電流値の差分値を比例積分演算することにより前記補正値を生成する比例積分調整部を含み、
前記電圧指令値補正部は、前記比例積分調整部により生成された前記補正値を、前記複数の電力変換装置のうちの一部の前記電力変換装置に対する前記出力電圧指令に加算する加算部を含む、請求項２に記載の電力変換システム。
【請求項４】
前記複数の電力変換装置は、互いに並列に接続される第１電力変換装置と第２電力変換装置とを含み、
前記比例積分調整部は、前記第１電力変換装置の出力電流値から前記第２電力変換装置の出力電流値を減じた差分値に基づいて前記補正値を生成し、
前記加算部は、前記比例積分調整部により生成された前記補正値を、前記第１電力変換装置に対する前記出力電圧指令に負極性で加算する第１加算部を含む、請求項３に記載の電力変換システム。
【請求項５】
前記複数の電力変換装置は、互いに並列に接続される第１電力変換装置と第２電力変換装置とを含み、
前記比例積分調整部は、前記第１電力変換装置の出力電流値から前記第２電力変換装置の出力電流値を減じた差分値に基づいて前記補正値を生成し、
前記加算部は、前記比例積分調整部により生成された前記補正値を、前記第２電力変換装置に対する前記出力電圧指令に正極性で加算する第２加算部を含む、請求項３に記載の電力変換システム。
【請求項６】
前記制御装置と前記複数の電力変換装置の各々の前記制御部との間の信号の伝送を行う伝送インターフェースをさらに備え、
前記制御装置は、前記電圧指令値補正部により補正された前記出力電圧指令を、前記伝送インターフェースを介して前記電力変換装置の前記制御部に伝送するように構成されている、請求項２〜５のいずれか１項に記載の電力変換システム。
【発明の詳細な説明】
【技術分野】
【０００１】
この発明は、電力変換システムに関し、特に、互いに並列に接続される複数の電力変換装置を備える電力変換システムに関する。
【背景技術】
【０００２】
従来、互いに並列に接続される複数の電力変換装置を備える電力変換システムが知られている（たとえば、特許文献１参照）。
【０００３】
上記特許文献１では、互いに並列に接続される複数のコンバータを備える電力供給回路（電力変換システム）が開示されている。この電力供給回路では、複数のコンバータの各々の出力側には、直流電流検出器と直流電圧検出器とが設けられている。そして、直流電流検出器により検出された直流電流と直流電圧検出器により検出された直流電圧とが、出力電力算出部に入力される。なお、出力電力算出部は、コンバータの各々に設けられている。出力電力算出部では、直流電流検出器により検出された直流電流と直流電圧検出器により検出された直流電圧とが乗算されることによって、コンバータからの出力電力が算出される。
【０００４】
そして、上記特許文献１では、算出された各々のコンバータからの出力電力が、平均化処理部に入力される。平均化処理部は、複数のコンバータに対して、１つ設けられている。平均化処理部では、入力された各々のコンバータからの出力電力に基づいて、コンバータからの平均の出力電力が算出される。そして、平均の出力電力は、各々のコンバータに設けられるパルス幅決定部に入力される。つまり、平均の出力電力は、複数のコンバータの全てのパルス幅決定部に入力される。そして、複数のコンバータの各々のパルス幅決定部では、コンバータからの出力が平均の出力電力に等しくなるように、コンバータのスイッチング回路部を駆動するＰＷＭ信号のパルス幅が決定される。これにより、複数のコンバータの各々からの出力電力が、均一化される。
【先行技術文献】
【特許文献】
【０００５】
【特許文献１】特開２００６−２３０１３７号公報
【発明の概要】
【発明が解決しようとする課題】
【０００６】
しかしながら、上記特許文献１に記載の電力供給回路では、平均化処理部により算出されたコンバータからの平均の出力電力が、複数のコンバータの全てのパルス幅決定部に入力される。つまり、複数のコンバータの全てにおいて、平均の出力電力に基づいて、コンバータのスイッチング回路部を駆動するＰＷＭ信号のパルス幅が決定（制御）されている。このため、入力および出力に、電力演算のための電圧検出器および電流検出器を設ける必要がある。また、出力電力の平均値演算を行う平均化処理部に対して、各コンバータから電力を入力する必要があり、電力演算機能が必要となる。また、全てのコンバータにおいてＰＷＭ信号のパルス幅が制御されているため、全てのコンバータからの出力電力が同時に変動する。このため、全てのコンバータからの出力電力を均一化させるための制御が互いに干渉（相互干渉）しやすくなる。その結果、複数のコンバータの各々からの出力電力を均一化するための、ＰＷＭ信号のパルス幅の制御が不安定になる場合があるという問題点が考えられる。
【０００７】
この発明は、上記のような課題を解決するためになされたものであり、この発明の１つの目的は、制御が不安定になるのを抑制しながら、より簡素な構成により複数の電力変換装置からの出力電流の大きさを均一化させることが可能な電力変換システムを提供することである。
【課題を解決するための手段】
【０００８】
上記目的を達成するために、この発明の一の局面による電力変換システムは、互いに並列に接続され、各々制御部を含む複数の電力変換装置と、複数の電力変換装置の各々の出力電流値を検出する電流検出部と、複数の電力変換装置の各々の制御部に対する出力電圧指令を生成する制御装置とを備え、制御装置は、電流検出部に検出された複数の電力変換装置の各々の出力電流値の差分に基づいて、複数の電力変換装置の各々の出力電流の差を小さくするように、複数の電力変換装置のうちの一部の電力変換装置に対する出力電圧指令を補正するように構成されている。
【０００９】
この発明の一の局面による電力変換システムでは、上記のように、制御装置は、電流検出部に検出された複数の電力変換装置の各々の出力電流値の差分に基づいて、複数の電力変換装置の各々の出力電流の差を小さくするように、複数の電力変換装置のうちの一部の電力変換装置に対する出力電圧指令を補正するように構成されている。これにより、複数の電力変換装置のうちの一部の電力変換装置の出力電圧は変化する一方、出力電圧指令が補正されない電力変換装置の出力電圧の大きさは略変化しない。その結果、全ての電力変換装置に対する出力電圧指令が補正される場合と比べて、制御（電力変換装置の各々の出力電流の差を小さくするように出力電圧指令を補正する制御）が相互干渉するのが抑制される。これにより、制御が不安定になるのを抑制しながら、複数の電力変換装置からの出力電流の大きさを均一化させることができる。また、複数の電力変換装置のうちの一部の電力変換装置に対する出力電圧指令のみが補正されるので、全ての電力変換装置に対する出力電圧指令が補正される場合と比べて、制御装置をより簡素に構成することができる。
【００１０】
上記一の局面による電力変換システムにおいて、好ましくは、制御装置は、電流検出部に検出された複数の電力変換装置の各々の出力電流値の差分に基づいて、複数の電力変換装置の各々の出力電流の差を小さくするように、出力電圧指令を補正するための補正値を生成する補正値生成部と、補正値生成部により生成された補正値に基づいて、複数の電力変換装置のうちの一部の電力変換装置に対する出力電圧指令を補正する電圧指令値補正部とを含む。このように構成すれば、補正値生成部により生成された補正値に基づいて、電圧指令値補正部を用いて、複数の電力変換装置のうちの一部の電力変換装置に対する出力電圧指令を容易に補正することができる。
【００１１】
この場合、好ましくは、補正値生成部は、電流検出部に検出された複数の電力変換装置の各々の出力電流値の差分値を比例積分演算することにより補正値を生成する比例積分調整部を含み、電圧指令値補正部は、比例積分調整部により生成された補正値を、複数の電力変換装置のうちの一部の電力変換装置に対する出力電圧指令に加算する加算部を含む。ここで、補正値に積分項の値が含まれることにより、補正対象となる一部の電力変換装置の出力電圧指令を、補正対象ではない電力変換装置の出力電圧指令により近づけることができる。その結果、複数の電力変換装置からの出力電流の大きさをより均一化させることができる。また、補正値を加算部により出力電圧指令に加算することにより出力電圧指令が補正されるので、比較的簡易な制御（和算）により出力電圧指令を補正することができる。
【００１２】
上記比例積分調整部および加算部を備える電力変換システムにおいて、好ましくは、複数の電力変換装置は、互いに並列に接続される第１電力変換装置と第２電力変換装置とを含み、比例積分調整部は、第１電力変換装置の出力電流値から第２電力変換装置の出力電流値を減じた差分値に基づいて補正値を生成し、加算部は、比例積分調整部により生成された補正値を、第１電力変換装置に対する出力電圧指令に負極性で加算する第１加算部を含む。このように構成すれば、たとえば、第１電力変換装置の出力電流値が、第２電力変換装置の出力電流値よりも大きい場合、差分値は、正の値になる。そこで、正の値である差分値に基づいた正の値である補正値を、第１電力変換装置の出力電圧指令に対して負極性で加算することにより、第１電力変換装置の出力電圧指令を小さくすることができる。その結果、第１電力変換装置からの出力電流が小さくなるので、第１電力変換装置からの出力電流の大きさと、第２電力変換装置からの出力電流の大きさとを均一化させることができる。なお、第１電力変換装置の出力電流値が、第２電力変換装置の出力電流値よりも小さい場合も同様に、出力電流の大きさを均一化させることができる。
【００１３】
上記比例積分調整部および加算部を備える電力変換システムにおいて、好ましくは、複数の電力変換装置は、互いに並列に接続される第１電力変換装置と第２電力変換装置とを含み、比例積分調整部は、第１電力変換装置の出力電流値から第２電力変換装置の出力電流値を減じた差分値に基づいて補正値を生成し、加算部は、比例積分調整部により生成された補正値を、第２電力変換装置に対する出力電圧指令に正極性で加算する第２加算部を含む。このように構成すれば、第１電力変換装置の出力電流値が、第２電力変換装置の出力電流値よりも大きい場合、差分値は、正の値になる。そこで、正の値である差分値に基づいた正の値である補正値を、第２電力変換装置の出力電圧指令に対して正極性で加算することにより、第２電力変換装置の出力電圧指令を大きくすることができる。その結果、第２電力変換装置からの出力電流が大きくなるので、第１電力変換装置からの出力電流の大きさと、第２電力変換装置からの出力電流の大きさとを均一化させることができる。なお、第１電力変換装置の出力電流値が、第２電力変換装置の出力電流値よりも小さい場合も同様に、出力電流の大きさを均一化させることができる。
【００１４】
上記補正値生成部と電圧指令値補正部とを備える電力変換システムにおいて、好ましくは、制御装置と複数の電力変換装置の各々の制御部との間の信号の伝送を行う伝送インターフェースをさらに備え、制御装置は、電圧指令値補正部により補正された出力電圧指令を、伝送インターフェースを介して電力変換装置の制御部に伝送するように構成されている。このように構成すれば、予め電力変換システムに設けられている伝送インターフェースを用いて補正された出力電圧指令を伝送することができるので、補正された出力電圧指令を伝送するための配線などを別途設ける必要がない。これにより、構成が複雑になる（部品点数が増加する）のを抑制しながら、複数の電力変換装置からの出力電流の大きさを均一化させることができる。
【発明の効果】
【００１５】
本発明によれば、上記のように、制御が不安定になるのを抑制しながら、より簡素な構成により複数の電力変換装置からの出力電流の大きさを均一化させることができる。
【図面の簡単な説明】
【００１６】
【図１】第１実施形態による電力変換システムの構成を示す図である。
【図２】第２実施形態による電力変換システムの構成を示す図である。
【図３】第３実施形態による電力変換システムの構成を示す図である。
【図４】変形例による電力変換システムの構成を示す図である。
【発明を実施するための形態】
【００１７】
以下、本発明を具体化した実施形態を図面に基づいて説明する。
【００１８】
［第１実施形態］
図１を参照して、第１実施形態による電力変換システム１の構成について説明する。
【００１９】
図１に示すように、電力変換システム１では、複数（第１実施形態では２台）の電力変換装置１０（電力変換装置１０ａおよび１０ｂ）が互いに並列に接続されている。電力変換装置１０は、ＰＷＭコンバータ装置として機能する。なお、電力変換装置１０ａの構成と、電力変換装置１０ｂの構成とは同様である。また、電力変換装置１０ａは、特許請求の範囲の「第１電力変換装置」の一例である。また、電力変換装置１０ｂは、特許請求の範囲の「第２電力変換装置」の一例である。
【００２０】
電力変換装置１０ａには、交流電源（図示せず）から３相の交流電力が入力される。また、電力変換装置１０ａの入力側には、ＡＣフィルタ回路２０ａが設けられている。ＡＣフィルタ回路２０ａは、３つのＡＣリアクトル２１ａと、３つのコンデンサ２２ａとを含む。
【００２１】
また、電力変換装置１０ａには、ＰＷＭコンバータ部１１ａが設けられている。ＰＷＭコンバータ部１１ａには、３相の交流電源からＡＣフィルタ回路２０ａを介して交流電力が入力される。
【００２２】
また、電力変換装置１０ａには、制御部１２ａが設けられている。制御部１２ａは、ＰＷＭコンバータ部１１ａのスイッチング素子（図示せず）のオンオフを制御するように構成されている。
【００２３】
また、電力変換装置１０ａには、図示しない電圧検出部が設けられている。電圧検出部は、電力変換装置１０ａの出力電圧を検出するように構成されている。
【００２４】
電力変換装置１０ａの出力側には、ＤＣリアクトル３０ａが設けられている。ＤＣリアクトル３０ａには、ＰＷＭコンバータ部１１ａからの直流電力が入力される。
【００２５】
また、電力変換装置１０ａの出力側には、カレントトランス４０ａが設けられている。カレントトランス４０ａは、電力変換装置１０ａとＤＣリアクトル３０ａとの間に設けられている。カレントトランス４０ａは、電力変換装置１０ａの出力電流値Ｉｄｃ１を検出するように構成されている。なお、カレントトランス４０ａは、特許請求の範囲の「電流検出部」の一例である。
【００２６】
また、電力変換装置１０ｂの構成は、電力変換装置１０ａの構成と同様である。具体的には、電力変換装置１０ｂは、ＰＷＭコンバータ部１１ｂ、制御部１２ｂ、および、図示しない電圧検出部を含む。また、電力変換装置１０ｂの入力側には、ＡＣフィルタ回路２０ｂ（ＡＣリアクトル２１ｂ、コンデンサ２２ｂ）が設けられている。また、電力変換装置１０ｂの出力側には、ＤＣリアクトル３０ｂおよびカレントトランス４０ｂが設けられている。カレントトランス４０ｂは、電力変換装置１０ｂの出力電流値Ｉｄｃ２を検出するように構成されている。なお、カレントトランス４０ｂは、特許請求の範囲の「電流検出部」の一例である。
【００２７】
また、電力変換装置１０ａの正電圧出力側と、電力変換装置１０ｂの正電圧出力側とは、接続点Ｐにおいて、互いに接続されている。また、電力変換装置１０ａの負電圧出力側と、電力変換装置１０ｂの負電圧出力側とは、接続点Ｎにおいて互いに接続されている。また、正電圧出力側と負電圧出力側との間には、平滑コンデンサ５０が設けられている。また、電力変換システム１の直流出力側には、図示しない負荷が設けられている。
【００２８】
また、電力変換装置１０ａのキャリア信号（図示せず）と、電力変換装置１０ｂのキャリア信号（図示せず）とは、同期されている。これにより、たとえば、電力変換装置１０ａと電力変換装置１０ｂとの間における、スイッチング素子のオンオフタイミングのずれに起因する横流の発生を抑制することが可能になる。
【００２９】
また、電力変換システム１には、制御装置６０が設けられている。制御装置６０は、複数の電力変換装置１０の各々の制御部（１２ａ、１２ｂ）に対する出力電圧指令（Ｖｄｃ１＊、Ｖｄｃ２＊）を生成するように構成されている。具体的には、制御装置６０は、出力電圧指令Ｖｄｃ＊を生成する。出力電圧指令Ｖｄｃ＊は、ユーザが図示しない電圧設定器により所望の電圧を設定することにより、制御装置６０において生成される。そして、制御装置６０は、出力電圧指令Ｖｄｃ＊に基づいて、電力変換装置１０ａの制御部１２ａに対する出力電圧指令Ｖｄｃ１＊を生成する。また、制御装置６０は、出力電圧指令Ｖｄｃ＊に基づいて、電力変換装置１０ｂの制御部１２ｂに対する出力電圧指令Ｖｄｃ２＊を生成する。
【００３０】
つまり、電力変換装置１０ａと１０ｂとは、電力変換装置１０ａと１０ｂの各々に設けられた制御部１２ａおよび１２ｂにより、個別に、出力電流を制御している。しかしながら、電力変換装置１０ａおよび１０ｂに含まれる電圧検出部の検出誤差等に起因して、電力変換装置１０ａと電力変換装置１０ｂとの間の出力電流の分担がアンバランスになる場合がある。その結果、電力変換装置１０ａからの出力電流と電力変換装置１０ｂからの出力電流とが均一化されない場合がある。
【００３１】
そこで、第１実施形態では、制御装置６０は、カレントトランス４０ａに検出された電力変換装置１０ａの出力電流値Ｉｄｃ１と、カレントトランス４０ｂに検出された電力変換装置１０ｂの出力電流値Ｉｄｃ２との差分に基づいて、電力変換装置１０ａの出力電流（出力電流値Ｉｄｃ１）と、電力変換装置１０ｂの出力電流（出力電流値Ｉｄｃ２）との差を小さくするように、電力変換装置１０ａおよび電力変換装置１０ｂのうちの一部の電力変換装置１０に対する出力電圧指令Ｖｄｃ＊を補正するように構成されている。以下、具体的に説明する。
【００３２】
制御装置６０は、比例積分調整部６１（ＰＩ調整部）を備えている。比例積分調整部６１は、カレントトランス４０ａに検出された電力変換装置１０ａの出力電流値Ｉｄｃ１と、カレントトランス４０ｂに検出された電力変換装置１０ｂの出力電流値Ｉｄｃ２との差分に基づいて、出力電圧指令Ｖｄｃ＊を補正するための補正値Ｃを生成するように構成されている。具体的には、制御装置６０には、加算部６２が設けられている。加算部６２には、電力変換装置１０ａの出力電流値Ｉｄｃ１と、電力変換装置１０ｂの出力電流値Ｉｄｃ２とが入力される。加算部６２は、出力電流値Ｉｄｃ１に対して出力電流値Ｉｄｃ２を負極性で加算（つまり減算）するように構成されている。その結果、出力電流値Ｉｄｃ１から出力電流値Ｉｄｃ２を減じた差分値が、比例積分調整部６１に入力される。なお、比例積分調整部６１は、特許請求の範囲の「補正値生成部」の一例である。
【００３３】
比例積分調整部６１では、出力電流値Ｉｄｃ１から出力電流値Ｉｄｃ２を減じた差分値が、比例積分演算される。そして、比例積分調整部６１において、差分値に対してＰゲインを乗算した比例項の値と差分値を積分した積分項の値との和が、補正値Ｃとして比例積分調整部６１から出力される。
【００３４】
また、制御装置６０は、加算部６３を備えている。加算部６３は、比例積分調整部６１により生成された補正値Ｃを、複数の電力変換装置１０のうちの一部の電力変換装置１０（第１実施形態では、電力変換装置１０ａ）に対する出力電圧指令Ｖｄｃ＊に加算するように構成されている。これにより、出力電圧指令Ｖｄｃ＊が補正される。具体的には、加算部６３は、比例積分調整部６１により生成された補正値Ｃを、電力変換装置１０ａに対する出力電圧指令Ｖｄｃ＊に負極性で加算するように構成されている。つまり、加算部６３には、出力電圧指令Ｖｄｃ＊と、補正値Ｃとが入力される。そして、加算部６３は、出力電圧指令Ｖｄｃ＊から補正値Ｃを減算する。そして、加算部６３から、出力電圧指令Ｖｄｃ＊から補正値Ｃが減算された値が、出力電圧指令Ｖｄｃ１＊として電力変換装置１０ａの制御部１２ａに出力される。また、出力電圧指令Ｖｄｃ１＊は、配線７０ａを介して制御部１２ａに出力される。なお、加算部６３は、特許請求の範囲の「第１加算部」および「電圧指令値補正部」の一例である。
【００３５】
また、制御装置６０は、加算部６４を備えている。加算部６４には、出力電圧指令Ｖｄｃ＊と、０Ｖの電圧とが入力される。そして、加算部６４は、出力電圧指令Ｖｄｃ＊から０Ｖの電圧を減算する。そして、加算部６４から、出力電圧指令Ｖｄｃ＊から０Ｖの電圧が減算された値（出力電圧指令Ｖｄｃ＊と同じ値）が、出力電圧指令Ｖｄｃ２＊として電力変換装置１０ｂの制御部１２ｂに出力される。また、出力電圧指令Ｖｄｃ２＊は、配線７０ｂを介して制御部１２ｂに出力される。なお、配線７０ａおよび配線７０ｂは、たとえば、ハードワイヤからなる。
【００３６】
次に、電力変換システム１の動作について説明する。たとえば、電力変換装置１０ａの出力電流値Ｉｄｃ１が、電力変換装置１０ｂの出力電流値Ｉｄｃ２よりも大きい場合、加算部６２からの出力は、正の値となる。これにより、比例積分調整部６１からの出力である補正値Ｃも正の値となる。そして、加算部６３によって、出力電圧指令Ｖｄｃ＊から正の値である補正値Ｃが減算されることにより、出力電圧指令Ｖｄｃ１＊が生成される。なお、生成された出力電圧指令Ｖｄｃ１＊は、出力電圧指令Ｖｄｃ＊よりも小さな値となる。そして、この出力電圧指令Ｖｄｃ１＊が、電力変換装置１０ａの制御部１２ａに入力されることにより、電力変換装置１０ａの出力電流値Ｉｄｃ１は、小さくなる。上記の動作を繰り返すことにより、電力変換装置１０ａの出力電流値Ｉｄｃ１と、電力変換装置１０ｂの出力電流値Ｉｄｃ２とが均一化される。なお、電力変換装置１０ｂの出力電圧は、略一定であるので、電力変換装置１０ａの出力電流値Ｉｄｃ１が徐々に電力変換装置１０ｂの出力電流値Ｉｄｃ２に近づくことになる。また、電力変換装置１０ａの出力電流値Ｉｄｃ１が電力変換装置１０ｂの出力電流値Ｉｄｃ２よりも小さい場合も同様に、電力変換装置１０ａの出力電流値Ｉｄｃ１が徐々に電力変換装置１０ｂの出力電流値Ｉｄｃ２に近づく。
【００３７】
（第１実施形態の効果）
第１実施形態では、以下のような効果を得ることができる。
【００３８】
第１実施形態では、上記のように、制御装置６０は、カレントトランス４０ａに検出された電力変換装置１０ａの出力電流値Ｉｄｃ１と、カレントトランス４０ｂに検出された電力変換装置１０ｂの出力電流値Ｉｄｃ２との差分に基づいて、電力変換装置１０ａおよび１０ｂの出力電流の差を小さくするように、電力変換装置１０ａに対する出力電圧指令Ｖｄｃ＊を補正するように構成されている。これにより、２つの電力変換装置１０ａおよび１０ｂのうちの一部の電力変換装置１０ａの出力電圧は変化する一方、出力電圧指令Ｖｄｃ＊が補正されない電力変換装置１０ｂの出力電圧の大きさは略変化しない。その結果、全ての電力変換装置１０ａおよび１０ｂに対する出力電圧指令Ｖｄｃ＊が補正される場合と比べて、制御（電力変換装置１０ａおよび１０ｂの各々の出力電流の差を小さくするように出力電圧指令Ｖｄｃ＊を補正する制御）が相互干渉するのが抑制される。これにより、制御が不安定になるのを抑制しながら、２つの電力変換装置１０ａおよび１０ｂからの出力電流の大きさを均一化させることができる。また、２つの電力変換装置１０ａおよび１０ｂのうちの一部の電力変換装置１０ａに対する出力電圧指令Ｖｄｃ＊のみが補正されるので、２つの電力変換装置１０ａおよび１０ｂに対する出力電圧指令Ｖｄｃ＊が補正される場合と比べて、制御装置６０をより簡素に構成することができる。
【００３９】
また、第１実施形態では、上記のように、比例積分調整部６１は、カレントトランス４０ａに検出された電力変換装置１０ａの出力電流値Ｉｄｃ１と、カレントトランス４０ｂに検出された電力変換装置１０ｂの出力電流値Ｉｄｃ２との差分値を比例積分演算することにより補正値Ｃを生成する。また、加算部６３は、比例積分調整部６１により生成された補正値Ｃを、電力変換装置１０ａに対する出力電圧指令Ｖｄｃ＊に加算する。ここで、補正値Ｃに積分項の値が含まれることにより、補正対象となる一部の電力変換装置１０ａの出力電流を、補正対象ではない電力変換装置１０ｂの出力電流により近づけることができる。その結果、複数の電力変換装置１０ａおよび１０ｂからの出力電流の大きさをより均一化させることができる。また、補正値Ｃを加算部６３により出力電圧指令Ｖｄｃ＊に加算することにより出力電圧指令Ｖｄｃ＊が補正されるので、比較的簡易な制御（和算）により出力電圧指令Ｖｄｃ＊を補正することができる。
【００４０】
また、第１実施形態では、上記のように、比例積分調整部６１は、電力変換装置１０ａの出力電流値Ｉｄｃ１から電力変換装置１０ｂの出力電流値Ｉｄｃ２を減じた差分値に基づいて補正値Ｃを生成し、加算部６３は、比例積分調整部６１により生成された補正値Ｃを、電力変換装置１０ａに対する出力電圧指令Ｖｄｃ＊に負極性で加算する。これにより、電力変換装置１０ａの出力電流値Ｉｄｃ１が、電力変換装置１０ｂの出力電流値Ｉｄｃ２よりも大きい場合、差分値は、正の値になる。そこで、正の値である差分値に基づいた正の値である補正値Ｃを、電力変換装置１０ａの出力電圧指令Ｖｄｃ＊に対して負極性で加算することにより、電力変換装置１０ａの出力電圧指令Ｖｄｃ１＊を小さくすることができる。その結果、電力変換装置１０ａからの出力電流が小さくなるので、電力変換装置１０ａからの出力電流の大きさと、電力変換装置１０ｂからの出力電流の大きさとを均一化させることができる。なお、電力変換装置１０ａの出力電流値Ｉｄｃ１が、電力変換装置１０ｂの出力電流値Ｉｄｃ２よりも小さい場合も同様に、出力電流の大きさを均一化させることができる。
【００４１】
［第２実施形態］
図２を参照して、第２実施形態による電力変換システム１００の構成について説明する。第２実施形態では、補正値Ｃを出力電圧指令Ｖｄｃ＊に正極性で加算する加算部１６４が設けられている。なお、加算部１６４は、特許請求の範囲の「第２加算部」および「電圧指令値補正部」の一例である。
【００４２】
図２に示すように、電力変換システム１００では、比例積分調整部６１は、電力変換装置１０ａの出力電流値Ｉｄｃ１から電力変換装置１０ｂの出力電流値Ｉｄｃ２を減じた差分値に基づいて補正値Ｃを生成する。
【００４３】
また、制御装置１６０は、加算部１６３を備えている。加算部１６３には、出力電圧指令Ｖｄｃ＊と、０Ｖの電圧とが入力される。そして、加算部１６３は、出力電圧指令Ｖｄｃ＊から０Ｖの電圧を減算する。そして、加算部１６３から、出力電圧指令Ｖｄｃ＊から０Ｖの電圧が減算された値（出力電圧指令Ｖｄｃ＊と同じ値）が、出力電圧指令Ｖｄｃ１＊として電力変換装置１０ａの制御部１２ａに出力される。
【００４４】
また、第２実施形態では、制御装置１６０は、加算部１６４を備えている。そして、加算部１６４は、比例積分調整部６１により生成された補正値Ｃを、電力変換装置１０ｂに対する出力電圧指令Ｖｄｃ＊に正極性で加算するように構成されている。具体的には、加算部１６４には、出力電圧指令Ｖｄｃ＊と、補正値Ｃとが入力される。そして、加算部１６４は、出力電圧指令Ｖｄｃ＊に補正値Ｃを加算する。そして、加算部１６４から、出力電圧指令Ｖｄｃ＊に補正値Ｃが加算された値が、出力電圧指令Ｖｄｃ２＊として電力変換装置１０ｂの制御部１２ｂに出力される。
【００４５】
なお、第２実施形態のその他の構成は、上記第１実施形態と同様である。
【００４６】
次に、電力変換システム１００の動作について説明する。たとえば、電力変換装置１０ａの出力電流値Ｉｄｃ１が、電力変換装置１０ｂの出力電流値Ｉｄｃ２よりも大きい場合、加算部６２からの出力は、正の値となる。これにより、比例積分調整部６１からの出力である補正値Ｃも正の値となる。そして、加算部１６４によって、出力電圧指令Ｖｄｃ＊に正の値である補正値Ｃが加算されることにより、出力電圧指令Ｖｄｃ２＊が生成される。なお、生成された出力電圧指令Ｖｄｃ２＊は、出力電圧指令Ｖｄｃ＊よりも大きな値となる。そして、この出力電圧指令Ｖｄｃ２＊が、電力変換装置１０ｂの制御部１２ｂに入力されることにより、電力変換装置１０ｂの出力電流値Ｉｄｃ２は、大きくなる。上記の動作を繰り返すことにより、電力変換装置１０ａの出力電流値Ｉｄｃ１と、電力変換装置１０ｂの出力電流値Ｉｄｃ２とが均一化される。
【００４７】
（第２実施形態の効果）
第２実施形態では、以下のような効果を得ることができる。
【００４８】
第２実施形態では、上記のように、加算部１６４は、比例積分調整部６１により生成された補正値Ｃを、電力変換装置１０ｂに対する出力電圧指令Ｖｄｃ＊に正極性で加算する。これにより、電力変換装置１０ａの出力電流値Ｉｄｃ１が、電力変換装置１０ｂの出力電流値Ｉｄｃ２よりも大きい場合、差分値は、正の値になる。そこで、正の値である差分値に基づいた正の値である補正値Ｃを、電力変換装置１０ｂの出力電圧指令Ｖｄｃ＊に対して正極性で加算することにより、電力変換装置１０ｂの出力電圧指令Ｖｄｃ２＊を大きくすることができる。その結果、電力変換装置１０ｂからの出力電流が大きくなるので、電力変換装置１０ａからの出力電流の大きさと、電力変換装置１０ｂからの出力電流の大きさとを均一化させることができる。なお、電力変換装置１０ａの出力電流値Ｉｄｃ１が、電力変換装置１０ｂの出力電流値Ｉｄｃ２よりも小さい場合も同様に、出力電流の大きさを均一化させることができる。
【００４９】
［第３実施形態］
図３を参照して、第３実施形態による電力変換システム２００の構成について説明する。第３実施形態では、伝送インターフェース（伝送ＩＦ）により出力電圧指令Ｖｄｃ１＊およびＶｄｃ２＊が伝送されるように構成されている。なお、伝送ＩＦは、たとえば、ＲＳ−４８５規格に基づいたインターフェースである。
【００５０】
図３に示すように、電力変換システム２００では、制御装置２６０と、電力変換装置１０ａの制御部２１２ａと、電力変換装置１０ｂの制御部２１２ｂとには、それぞれ、伝送ＩＦ２０１と、伝送ＩＦ２０１ａと、伝送ＩＦ２０１ｂとが設けられている。そして、制御装置２６０と、電力変換装置１０ａの制御部２１２ａとの間の信号（Ｉｄｃ１など）の伝送は、伝送ＩＦ２０１と伝送ＩＦ２０１ａとにより行われている。同様に、制御装置２６０と、電力変換装置１０ｂの制御部２１２ｂとの間の信号（Ｉｄｃ２など）の伝送は、伝送ＩＦ２０１と伝送ＩＦ２０１ｂとにより行われている。なお、伝送ＩＦ２０１と、伝送ＩＦ２０１ａと、伝送ＩＦ２０１ｂとは、一般的に、電力変換システム２００に予め設けられているものであり、出力電圧指令Ｖｄｃ１＊およびＶｄｃ２＊の伝送のために専用に設けられたものではない。
【００５１】
そして、第３実施形態では、制御装置２６０は、加算部６３により補正された出力電圧指令Ｖｄｃ１＊を、伝送ＩＦ２０１および伝送ＩＦ２０１ａを介して、電力変換装置１０ａの制御部２１２ａに伝送するように構成されている。同様に、制御装置２６０は、加算部６４から出力された出力電圧指令Ｖｄｃ２＊を、伝送ＩＦ２０１および伝送ＩＦ２０１ｂを介して、電力変換装置１０ｂの制御部２１２ｂに伝送するように構成されている。
【００５２】
なお、第３実施形態のその他の構成は、上記第１実施形態と同様である。
【００５３】
（第３実施形態の効果）
第３実施形態では、以下のような効果を得ることができる。
【００５４】
第３実施形態では、上記のように、制御装置２６０は、補正された出力電圧指令Ｖｄｃ１＊を、伝送ＩＦ２０１および伝送ＩＦ２０１ａを介して電力変換装置１０ａの制御部２１２ａに伝送し、出力電圧指令Ｖｄｃ２＊を、伝送ＩＦ２０１および伝送ＩＦ２０１ｂを介して電力変換装置１０ｂの制御部２１２ｂに伝送する。これにより、制御装置２６０と電力変換装置１０ａの制御部２１２ａとの間、および、制御装置２６０と電力変換装置１０ｂの制御部２１２ｂとの間の信号の伝送を行う伝送ＩＦ（予め電力変換システム２００に設けられている伝送ＩＦ２０１、伝送ＩＦ２０１ａおよび伝送ＩＦ２０１ｂ）を用いて補正された出力電圧指令Ｖｄｃ１＊および出力電圧指令Ｖｄｃ２＊を伝送することができるので、補正された出力電圧指令Ｖｄｃ１＊および出力電圧指令Ｖｄｃ２＊を伝送するための配線などを別途設ける必要がない。これにより、構成が複雑になる（部品点数が増加する）のを抑制しながら、電力変換装置１０ａおよび１０ｂからの出力電流の大きさを均一化させることができる。
【００５５】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５６】
たとえば、上記第１〜第３実施形態では、電力変換装置１０がＰＷＭコンバータ装置として機能する例を示したが、本発明はこれに限られない。たとえば、ＰＷＭコンバータ装置以外として機能する電力変換装置に本発明を適用してもよい。
【００５７】
また、上記第１〜第３実施形態では、比例積分調整部（ＰＩ制御）によって補正値が生成される例を示したが、本発明はこれに限られない。たとえば、比例制御（Ｐ制御）に基づいて補正値を生成してもよいし、比例積分微分制御（ＰＩＤ制御）に基づいて補正値を生成してもよい。
【００５８】
また、上記第１〜第３実施形態では、補正値を出力電圧指令に加算することによって、出力電圧指令を補正する例を示したが、本発明はこれに限られない。たとえば、補正値を出力電圧指令に加算すること以外の方法によって、出力電圧指令を補正してもよい。
【００５９】
また、上記第１〜第３実施形態では、互いに並列に２つの電力変換装置が接続されている例を示したが、本発明はこれに限られない。たとえば、図４の変形例による電力変換システム３００のように、互いに並列に３つの電力変換装置（ＣＯＮ）１０ａ、１０ｂおよび１０ｃが接続されていてもよい。この場合、制御装置３６０は、上記第２実施形態と同様に、電力変換装置１０ａのカレントトランス４０ａにより検出された出力電流値Ｉｄｃ１から、電力変換装置１０ｂのカレントトランス４０ｂにより検出された出力電流値Ｉｄｃ２を差分するとともに、比例積分調整部６１により補正値Ｃ１を生成する。補正値Ｃ１は、加算部１６４により、出力電圧指令Ｖｄｃ＊に加算されて、出力電圧指令Ｖｄｃ２＊が生成される。また、制御装置３６０は、電力変換装置１０ａのカレントトランス４０ａにより検出された出力電流値Ｉｄｃ１から、電力変換装置１０ｃのカレントトランス４０ｃにより検出された出力電流値Ｉｄｃ３を加算部３６２において差分するとともに、比例積分調整部３６１により補正値Ｃ２を生成する。補正値Ｃ２は、加算部３６４により、出力電圧指令Ｖｄｃ＊に加算されて、出力電圧指令Ｖｄｃ３＊が生成される。そして、生成された出力電圧指令Ｖｄｃ１＊、Ｖｄｃ２＊、および、Ｖｄｃ３＊が、それぞれ、電力変換装置１０ａ、１０ｂおよび１０ｃの制御部に入力される。なお、図４において、ＲＬは、負荷を表している。なお、カレントトランス４０ｃは、特許請求の範囲の「電流検出部」の一例である。また、加算部３６４は、特許請求の範囲の「第２加算部」および「電圧指令値補正部」の一例である。また、比例積分調整部３６１は、特許請求の範囲の「補正値生成部」の一例である。
【００６０】
また、上記第１〜第３実施形態では、本発明の「電流検出部」として、カレントトランスを用いる例を示したが、本発明はこれに限られない。たとえば、カレントトランス以外の電流検出部を用いてもよい。
【符号の説明】
【００６１】
１０  電力変換装置
１０ａ  電力変換装置（第１電力変換装置）
１０ｂ  電力変換装置（第２電力変換装置）
１２ａ、１２ｂ、２１２ａ、２１２ｂ  制御部
４０ａ、４０ｂ、４０ｃ  カレントトランス（電流検出部）
６０、１６０、２６０、３６０  制御装置
６１、３６１  比例積分調整部（補正値生成部）
６３  加算部（第１加算部、電圧指令値補正部）
１、１００、２００、３００  電力変換システム
１６４、３６４  加算部（第２加算部、電圧指令値補正部）
２０１、２０１ａ、２０１ｂ  伝送インターフェース
【図１】
2020010446.tif 000003
【図２】
2020010446.tif 000004
【図３】
2020010446.tif 000005
【図４】
2020010446.tif 000006